(57)【特許請求の範囲】
【請求項１】
開閉自在なロール網戸に用いられて巻き取り収納可能なネットであって、
経糸と緯糸とが格子状に織られた面状のネット本体と、このネット本体における開閉方向に沿った端縁に設けられる端部部材とを備え、
前記経糸および緯糸の直径は、０．１mm〜０．２mmの範囲に設定され、かつ当該経糸同士のピッチおよび当該緯糸同士のピッチは、２０本／inch〜３０本／inchの範囲に設定され、
前記経糸および緯糸は、所定断面積を有した芯部と、この芯部を囲んで所定断面積を有した鞘部と、を有した複層成形樹脂製のモノフィラメント糸で構成され、
前記芯部および鞘部は、ポリブチレンテレフタレート（ＰＢＴ）、ポリエチレンテレフタレート（ＰＥＴ）またはポリエチレンナフタレート（ＰＥＮ）のポリエステル系樹脂と、ポリアミド６（ＰＡ６）またはポリアミド６６（ＰＡ６６）のナイロン系樹脂と、フッ素系樹脂（ＰＴＦＥ）と、ポリフェニレンサルファイド樹脂（ＰＰＳ）と、ポリアセタール樹脂（ＰＯＭ）とのうちのいずれかを樹脂材料としてそれぞれ構成され、
前記芯部と前記鞘部とは、前記樹脂材料のうち、互いに異種の樹脂材料によって構成され、
前記芯部を構成する樹脂の融点は、２２０℃〜２６０℃の範囲に設定され、
前記鞘部を構成する樹脂の融点は、１５０℃〜１８０℃の範囲に設定され、
前記芯部と前記鞘部との断面積比率（芯／鞘比）は、１．０〜３．６の範囲に設定されるとともに、当該経糸および緯糸の硬さは、０．５gf・cm/cm〜１．２１gf・cm/cmの範囲に設定され、これらの経糸および緯糸における鞘部同士が溶着されることで前記ネット本体が形成されているネット。
【請求項２】
前記ネット本体と前記端部部材とは、前記経糸および緯糸における鞘部と当該端部部材との溶着によって固定されている請求項１に記載のネット。
【請求項３】
請求項１または請求項２に記載のネットを備えたロール網戸。
【請求項４】
請求項３に記載のロール網戸を備えた建具。
【発明の詳細な説明】
【技術分野】
【０００１】
本発明は、開閉自在なロール網戸に用いられて巻き取り収納可能なネット、このネットを備えたロール網戸、および建具に関する。
【背景技術】
【０００２】
従来、各種窓等の建具において、左右または上下に開閉自在でかつネットが巻き取り収納可能なロール網戸が利用されている（例えば、特許文献１参照）。
このようなロール網戸のネットは、巻き取り軸に一方の端縁が固定されるとともに他方の端縁が可動框に固定され、これらの各端縁と交差して開閉方向に沿った端縁が枠のレールに案内されることで、開閉できるようになっている。また、巻き取り軸には、ばね等の付勢手段が設けられており、巻き取り方向（開放方向）に付勢されることでネットが巻き取り軸に巻き取られて収納されるようになっている。
【先行技術文献】
【特許文献】
【０００３】
【特許文献１】特開２００７−１６９９０６号公報
【発明の概要】
【発明が解決しようとする課題】
【０００４】
ところで、従来のロール網戸では、ポリエステル製のマルチフィラメント糸やグラスファイバー（ガラス繊維）製のフィラメントにポリ塩化ビニル（ＰＶＣ）製のコーティングを施した糸から構成したネットを用いることが一般的である。このような従来のネットでは、モノフィラメント糸の直径は０．２５mm程度、経緯の糸ピッチは１８本／inch程度に設定されている。一方、近年、糸径を細くしてネット越しの眺望性を高めた網戸が提案されており、ロール網戸においても眺望性向上が要求されるものの、従来のネットのように、グラスファイバー製の芯を有したモノフィラメント糸の糸径を細くすることが困難である。さらに、ロール網戸に利用する場合には、しわの寄りにくさや巻き取り半径の制限などの巻き取り性も要求されることから、糸径のみならずモノフィラメント糸の硬さに対する要求性能も満足させる必要がある。
【０００５】
本発明の目的は、ロール網戸に用いた場合に眺望性を高めつつ巻き取り性をも満足させることができるネットを提供するとともに、このネットを備えたロール網戸および建具を提供することにある。
【課題を解決するための手段】
【０００６】
本発明のネットは、開閉自在なロール網戸に用いられて巻き取り収納可能なネットであって、経糸と緯糸とが格子状に織られた面状のネット本体と、このネット本体における開閉方向に沿った端縁に設けられる端部部材とを備え、前記経糸および緯糸の直径は、０．１mm〜０．２mmの範囲に設定され、かつ当該経糸同士のピッチおよび当該緯糸同士のピッチは、２０本／inch〜３０本／inchの範囲に設定され、前記経糸および緯糸は、所定断面積を有した芯部と、この芯部を囲んで所定断面積を有した鞘部と、を有した複層成形樹脂製のモノフィラメント糸で構成され、前記芯部および鞘部は、ポリブチレンテレフタレート（ＰＢＴ）、ポリエチレンテレフタレート（ＰＥＴ）またはポリエチレンナフタレート（ＰＥＮ）のポリエステル系樹脂と、ポリアミド６（ＰＡ６）またはポリアミド６６（ＰＡ６６）のナイロン系樹脂と、フッ素系樹脂（ＰＴＦＥ）と、ポリフェニレンサルファイド樹脂（ＰＰＳ）と、ポリアセタール樹脂（ＰＯＭ）とのうちのいずれかを樹脂材料としてそれぞれ構成され、前記芯部と前記鞘部とは、前記樹脂材料のうち、互いに異種の樹脂材料によって構成され、前記芯部を構成する樹脂の融点は、２２０℃〜２６０℃の範囲に設定され、前記鞘部を構成する樹脂の融点は、１５０℃〜１８０℃の範囲に設定され、前記芯部と前記鞘部との断面積比率（芯／鞘比）は、１．０〜３．６の範囲に設定されるとともに、当該経糸および緯糸の硬さは、０．５gf・cm/cm〜１．２１gf・cm/cmの範囲に設定され、これらの経糸および緯糸における鞘部同士が溶着されることで前記ネット本体が形成されていることを特徴とする。
【０００７】
以上の本発明によれば、ネット本体を構成する経糸および緯糸を芯部と鞘部とを有した複層成形のモノフィラメント糸で構成したことで、経糸および緯糸の糸径を比較的細くすることができるようになり、ネット越しの眺望性を高めることができる。さらに、樹脂製のモノフィラメント糸であることから、グラスファイバー製のものと比較して硬さに対する対応幅を広くすることができ、巻き取り性の要求性能を確保することができる。また、経糸と緯糸とが互いの鞘部同士で溶着されることで、糸同士の間隔が開いてしまうことを防止して、防虫性能を確保することができる。さらに、芯部および鞘部ともに樹脂製であり、鞘部の溶着によって経糸と緯糸とが連結されることで、この連結部が滑らかな形状で経糸と緯糸とが一体化されることから、摩擦抵抗を低減させてしわの寄りを抑制しつつネットを巻き取ることができ、巻き取り性をさらに高めることができる。また、芯部と鞘部との断面積比率（芯／鞘比）を適切な範囲に設定することで、モノフィラメント糸の硬さを適正な範囲に規定することができるとともに、このモノフィラメント糸の硬さを規定することで、ロール網戸としての良好な巻き取り性を確保することができる。
【０００８】
また、このような本発明によれば、芯部および鞘部の融点を各々適切な範囲に設定し、かつ芯部の融点を鞘部よりも高く設定することで、モノフィラメント糸の硬さを適正な範囲に規定しつつ、経糸と緯糸との溶着性を確保することができる。
【０００９】
さらに、このような本発明によれば、経糸および緯糸の直径および糸ピッチの両方を規定することで、眺望性と巻き取り性とを両立させて向上させることができる。すなわち、糸径が０．１mm未満であると、ネットとしての強度が低くなりすぎ、糸径が０．２mmを超えると眺望性が低下してしまい、また、糸ピッチが２０本／inch未満であると、防虫性が低下し、糸ピッチが３０本／inchを超えると眺望性が低下してしまうことから、糸径および糸ピッチを前述の範囲に規定することで、眺望性と巻き取り性、防虫性をそれぞれバランスよく確保することができる。
【００１０】
また、本発明のネットでは、前記ネット本体と前記端部部材とは、前記経糸および緯糸における鞘部と当該端部部材との溶着によって固定されていることが好ましい。
このような構成によれば、経糸および緯糸の鞘部と端部部材とを溶着することで、別途の接着剤や接着テープなどを不要にして、簡便かつ確実に端部部材をネット本体と固定することができる。
【００１１】
一方、本発明のロール網戸は、前記いずれかのネットを備えたことを特徴とする。
また、本発明の建具は、前記ロール網戸を備えたことを特徴とする。
【００１２】
ここで、本発明の建具としては、適宜な開閉形式のものが利用可能であり、例えば、上げ下げ窓や、縦、横辷出し窓、突出し窓、引違い窓、片引き窓など、その開閉形式は特に限定されず、またロール網戸としては、窓障子の屋内側に設けられてもよいし、障子の屋外側に設けられてもよい。
このようなロール網戸および建具によれば、前述のネットと同様の作用効果を奏することができ、すなわち、網戸のネット越しの眺望性を高めることができるとともに、ネットの巻き取り性を高めて利便性を向上させることができる。
【図面の簡単な説明】
【００１３】
【図１】本発明の一実施形態に係る建具を示す横断面図である。
【図２】前記建具の下部を拡大して示す縦断面図である。
【図３】前記建具に設けられるロール網戸を示す部分斜視図である。
【図４】前記ロール網戸のネットを構成する糸を示す断面図である。
【図５】前記糸の硬さと芯／鞘比および芯の融点との関係を示すグラフである。
【図６】前記ネットのメッシュピッチと糸径との適用範囲を示すグラフである。
【発明を実施するための形態】
【００１４】
以下、本発明の一実施形態を図面に基づいて説明する。
図１および図２において、本実施形態に係る建具としての窓１は、建物の外壁開口部に固定される枠体である窓枠２と、この窓枠２に開閉自在に支持される図示しない面材と、面材よりも屋内側に設けられるロール網戸１０とを備えて構成されている。窓枠２は、図示しない上枠、下枠３および左右の縦枠４とを有して構成され、この窓枠２に適宜なアタッチメントを介してロール網戸１０が取り付けられている。面材は、例えば、図示しない丁番やリンク等の支持装置に支持されることで、開き形式や縦辷出し形式で屋外側に向かって開放可能に設けられている。
【００１５】
ロール網戸１０は、図３にも示すように、窓枠２に固定される網戸枠１１と、この網戸枠１１の内部にて左右に開閉自在に設けられるネット１２とを備えて構成されている。網戸枠１１は、それぞれアルミ形材製であり、図１の左側の縦枠４に固定される収納ケース１３と、図示しない右側の縦枠に固定される当接枠と、図示しない上枠に支持される上レール枠と、下枠３に支持される下レール枠１４とを有して構成されている。収納ケース１３の内部には、ネット１２を巻き取る巻き取り軸１３Ａが設けられ、図示しないばねによって巻き取り軸１３Ａが巻き取り方向に付勢されることで、ネット１２が収納ケース１３内に収納されるようになっている。
【００１６】
ネット１２は、経糸２１と緯糸２２とが格子状に平織りされた面状のネット本体２０と、このネット本体２０における開閉方向に沿った端縁である上下端縁に設けられる端部部材としてのファスナーテープ２３と、ネット本体２０における閉鎖方向側の側端縁に設けられる可動框２４とを有して構成されている。また、上レール枠および下レール枠１４には、それぞれネット１２のファスナーテープ２３を左右にスライド案内する摺動溝１５Ａを有した樹脂製のスライド部材１５が設けられている。このようなネット１２は、閉鎖方向である図１の右側に向かって可動框２４を操作し、収納ケース１３からネット本体２０を引き出すとともに、可動框２４を当接枠に当接させることで窓枠２の開口を覆う閉鎖状態となる。一方、開放方向である図１の左側に向かって可動框２４を操作し、巻き取り軸１３Ａにネット本体２０を巻き取らせるとともに、可動框２４を収納ケース１３に当接させることでネット１２が開放状態となる。
【００１７】
ネット本体２０の経糸２１および緯糸２２は、図４に示すように、所定の断面積Ａ１を有した芯部２５と、この芯部２５を囲んで所定の断面積Ａ２を有した鞘部２６と、を有した複層成形樹脂製のモノフィラメント糸で構成されている。ここで、経糸２１および緯糸２２を構成する樹脂材料としては、ポリブチレンテレフタレート（ＰＢＴ）やポリエチレンテレフタレート（ＰＥＴ）、ポリエチレンナフタレート（ＰＥＮ）等のポリエステル系樹脂であってもよいし、ポリアミド６（ＰＡ６）やポリアミド６６（ＰＡ６６）等のナイロン系樹脂であってもよく、さらには、フッ素系樹脂（PＴＦＥ）やポリフェニレンサルファイド樹脂（ＰＰＳ）、ポリアセタール樹脂（ＰＯＭ）なども利用可能であり、芯部２５と鞘部２６とで同種の樹脂を用いてもよいし、異種の樹脂を用いることも可能である。また、経糸２１および緯糸２２における芯部２５および鞘部２６は、互いの融点が相違し、芯部２５の樹脂の融点よりも低い融点の樹脂で鞘部２６が形成され、図４(Ｂ)に示すように、互いの鞘部２６同士が溶融した溶融部２７を介して経糸２１と緯糸２２とが溶着されることでネット本体２０が形成されている。さらに、経糸２１および緯糸２２の鞘部２６が溶融することでファスナーテープ２３とネット本体２０とが溶着されている。
【００１８】
以上のネット本体２０において、経糸２１および緯糸２２は、ネット１２を巻き取る実証試験に基づく巻き取り半径の制約としわの寄りにくさとから、図５に示すように、糸の曲げ硬さとして０．５〜１．２１gf・cm/cmの範囲に設定することで、コンパクトかつしわが寄らない状態で巻き取り可能となることが判明した。ここで、経糸２１および緯糸２２を構成するモノフィラメント糸の硬さとしては、カトーテック株式会社製の繊維計測システム（ＫＥＳ−ＦＢシステム）を使用して測定した。このような経糸２１および緯糸２２の曲げ硬さは、芯部２５の断面積Ａ１と鞘部２６の断面積Ａ２との比（芯／鞘比＝Ａ１／Ａ２）と相関があり、図５(Ａ)に示すように、芯／鞘比と曲げ硬さとが略比例関係にあることから、０．５〜１．２１gf・cm/cmの曲げ硬さとなる芯／鞘比は、１．０〜３．６の範囲に設定されていることが好適である。また、経糸２１および緯糸２２の曲げ硬さは、芯部２５の融点とも相関があり、図５(Ｂ)に示すように、芯部２５の融点と曲げ硬さとが略比例関係にあることから、０．５〜１．２１gf・cm/cmの曲げ硬さとなる芯部２５の融点は、２２０℃〜２６０℃の範囲に設定されていることが好適である。
【００１９】
さらに、経糸２１および緯糸２２の糸径（直径）と、メッシュピッチ（経糸２１同士のピッチおよび緯糸２２同士のピッチ）とは、図６に示すハッチングの範囲に設定されていることが好適である。すなわち、経糸２１および緯糸２２の糸径は、０．１mm〜０．２mmの範囲に設定されていることが好ましく、０．１mm未満だと強度が不足し、０．２mmを超えるとネット本体２０を通した眺望性が低下してしまう。また、ネット本体２０のメッシュピッチ、つまり１inch当たりの経糸２１または緯糸２２の本数は、２０本／inch〜３０本／inchの範囲に設定されていることが好ましく、２０本／inch未満だと防虫性が低下し、３０本／inchを超えると眺望性が低下してしまう。なお、従来のロール網戸、つまりグラスファイバー製の芯にポリ塩化ビニル製のコーティングを設けたモノフィラメント糸を用いたネットでは、図６に黒丸で示すように、糸径が０．２５mmでメッシュピッチが１８本／inch程度に設定されているため、眺望性および防虫性とも十分に高められているとは言えなかった。これに対して、本実施形態の糸径およびメッシュピッチを有したネット本体２０を採用することで、強度、眺望性および防虫性を向上させることができる。
【００２０】
本実施形態によれば以下の効果が得られる。
すなわち、ネット本体２０における経糸２１および緯糸２２を芯部２５と鞘部２６とで融点が異なる複層成形樹脂から構成したことで、０．１mm〜０．２mmの比較的細い糸径とすることができるようになり、ネット本体２０越しの眺望性を高めることができる。さらに、経糸２１および緯糸２２の曲げ硬さが適宜になるように、芯部２５と鞘部２６との断面積比（芯／鞘比）を所定範囲に設定するか、または芯部２５の融点を所定範囲に設定することで、巻き取り径が大きくならず、かつ、しわが寄りにくくでき、ネット本体２０の巻き取り性を確保することができる。
【００２１】
なお、本発明は、前記実施形態に限定されるものではなく、本発明の目的が達成できる他の構成等を含み、以下に示すような変形等も本発明に含まれる。
例えば、前記実施形態においては、窓１の屋内側にロール網戸１０が設けられる場合を例示したが、本発明のロール網戸は、窓や出入り口の屋外側に設置されるものであってもよい。この際、窓や出入り口の開閉形式は特に限定されない。
また、前記実施形態では、左右に開閉自在な横引きのロール網戸１０を例示したが、本発明のロール網戸は横引きのものに限らず、上下に開閉可能な縦引きのものでもよいし、上下左右以外の方向に開閉可能なロール網戸であってもよい。
【００２２】
また、前記実施形態のロール網戸１０では、ネット本体２０の経糸２１および緯糸２２が平織りの場合を説明したが、ネット本体２０の織り方は特に限定されず、任意の網形状とすることができる。
さらに、経糸２１および緯糸２２に用いられるモノフィラメント糸の樹脂材料は、前記実施形態中に例示したものに限らず、ネット本体２０として利用可能な強度や剛性（硬さ）が得られるものであれば、任意の樹脂材料が利用可能である。
【００２３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２４】
１…窓（建具）、１０…ロール網戸、１２…ネット、２０…ネット本体、２１…経糸、２２…緯糸、２３…ファスナーテープ（端部部材）、２５…芯部、２６…鞘部。
【図１】
0005651461.tif 000002
【図２】
0005651461.tif 000003
【図３】
0005651461.tif 000004
【図４】
0005651461.tif 000005
【図５】
0005651461.tif 000006
【図６】
0005651461.tif 000007